(57)【要約】【課題】本発明の課題は、容易かつ効率良くスキャナ部のＭＴＦの調整を行うことにより、高品質な画像を提供することである。【解決手段】画像形成装置１は、スキャナ部１４に読み取らせた測定用チャートに基づいて、画像周波数毎のＲＧＢチャンネル間におけるレスポンス比を算出し、画像周波数の範囲が１００〜２４０（ｐａｒｅｌｉｎｅ／ｉｎｃｈ）において、ＲＧＢチャンネル間のＭＴＦのレスポンス比が２０％以上となる画像周波数のＭＴＦの調整を行わせる。また、ＭＴＦの調整は、ＣＣＤ１４ｄのピント調整によりＭＴＦを調整するピント調整モード、又は空間フィルタ処理におけるフィルタ係数を変更することによりＭＴＦを調整するフィルタ調整モードを設定し、入力部１２を介して入力される指示に応じて、ピント調整又はフィルタ係数を変更して、ＲＧＢのＭＴＦの調整を行う。【選択図】      図１
2005045433.tif 000002
【特許請求の範囲】
【請求項１】
原稿画像をＣＣＤ（Ｃｈａｒｇｅ  Ｃｏｕｐｌｅｄ  Ｄｅｖｉｃｅ）により複数の色成分に分解して光電的に読み取り、前記複数の色成分毎の画像データを取得するスキャナ部と、前記取得された画像データに画像処理を施す画像処理部とを備えた画像形成装置であって、
前記画像データの複数の色成分毎にＭＴＦ（Ｍｏｄｕｌａｔｉｏｎ  Ｔｒａｎｓｆｅｒ  Ｆｕｎｃｔｉｏｎ）を調整するための調整モードを設定し、前記スキャナ部及び前記画像処理部のうち少なくとも一方を制御してＭＴＦを調整する制御部を備えることを特徴とする画像形成装置。
【請求項２】
前記制御部は、前記スキャナ部のＣＣＤを駆動制御して、ＣＣＤのピント調整を行うことにより、ＭＴＦを調整することを特徴とする請求項１記載の画像形成装置。
【請求項３】
前記制御部は、前期画像処理部により行われる空間フィルタ処理に設定するフィルタ係数を変更することにより、ＭＴＦを調整することを特徴とする請求項１記載の画像形成装置。
【請求項４】
前記制御部は、前記画像データに基づいて、画像周波数毎に各色成分のＭＴＦチャンネル間差の割合を算出し、画像周波数が１００〜２４０（ｐａｒｅｌｉｎｅ／ｉｎｃｈ）の範囲において、ＭＴＦチャンネル間差の割合が２０％以下となるようにＭＴＦを調整することを特徴とする請求項１から３のいずれか一項に記載の画像形成装置。
【請求項５】
原稿画像をＣＣＤにより複数の色成分に分解して光電的に読み取り、前記複数の色成分毎の画像データを取得するスキャナ部と、前記取得された画像データに画像処理を施す画像処理部とを備える画像形成装置における画像形成方法であって、
前記画像データの複数の色成分毎にＭＴＦを調整するための調整モードを設定し、前記スキャナ部及び前記画像処理部のうち少なくとも一方を制御してＭＴＦを調整することを特徴とする画像形成方法。
【請求項６】
前記スキャナ部のＣＣＤを駆動制御して、ＣＣＤのピント調整を行うことにより、ＭＴＦを調整することを特徴とする請求項５記載の画像形成方法。
【請求項７】
前期画像処理部により行われる空間フィルタ処理に設定するフィルタ係数を変更することにより、ＭＴＦを調整することを特徴とする請求項５記載の画像形成方法。
【請求項８】
前記画像データに基づいて、画像周波数毎に各色成分のＭＴＦチャンネル間差の割合を算出し、画像周波数が１００〜２４０（ｐａｒｅｌｉｎｅ／ｉｎｃｈ）の範囲において、ＭＴＦチャンネル間差の割合が２０％以下となるようにＭＴＦを調整することを特徴とする請求項５から７のいずれか一項に記載の画像形成方法。
【発明の詳細な説明】
【０００１】
【発明の属する技術分野】
本発明は、スキャナにより読み込まれた画像データに基づいて、スキャナ部のＭＴＦの調整を行う画像形成装置及び画像形成方法に関するものである。
【０００２】
【従来の技術】
従来、画像形成装置では、スキャナで画像を読みこみ、画像処理後、プリンタ部に出力する若しくはＰＣ（パーソナルコンピュータ）に出力して複写モニタで確認可能なスキャナにおいて、黒細線や細かい文字を読みこんだ場合、スキャナＭＴＦのチャンネル（ＲＧＢ）間差が大きいと、ＲＧＢの読み込み階調がそろわなくなり、黒細線や黒文字が黒でなくなる、すなわち、色がついてしまうという不具合が発生する。また、色細線・色文字の場合も、正しい色が出力されない不具合が生じる。このような不具合が線や文字上に部分的に発生したり、線の太さや文字の大きさ別に発生すると著しく画質の劣化を引き起こす。
【０００３】
このため、スキャナ部から入力されるＲＧＢ画像のそれぞれのＭＴＦ（Ｍｏｄｕｌａｔｉｏｎ  Ｔｒａｎｓｆｅｒ  Ｆｕｎｃｔｉｏｎ）を、別途測定したＭＴＦ値に基づいて個別に補正し、機種の差、同じ機種にあっても機械間差、またＲＧＢ間の差に基づくばらつきを補正管理し、ＭＴＦが管理された高品質なＲＧＢ信号をもとに黒文字判定部内で文字の太判定、エッジ判定、再度情報を得て、これら輪郭情報と彩度情報とを組み合わせて黒文字処理を行う画像形成装置が知られている（例えば、特許文献１参照）。
【０００４】
また、原稿画像の色濃度に応じて、ラインＣＣＤセンサの蓄積時間を複数の色成分毎に変化させて読み取り色成分毎に得られた画像データの各々を複数の空間周波数帯域毎に別々に各色成分間のラインＣＣＤセンサの蓄積時間差に関連付けられた色バランス補正量となるように、複数の色成分の画像データ間の色バランスを補正した後、各空間周波数帯域の色バランスが補正された画像データを各色成分毎に合成することにより、ＭＴＦ差に起因する各色成分間の色バランスの変化やズレを補正する画像読取装置が知られている（例えば、特許文献２参照）。
【０００５】
【特許文献１】
特開２００１−１５７０５９号公報
【特許文献２】
特開平１１−２５２３８７号公報
【０００６】
【発明が解決しようとする課題】
ところで、上述したスキャナのＭＴＦのチャンネル間差は、スキャナに設けられるレンズの色収差にも影響を受ける場合がある。しかしながら、従来の画像形成装置（例えば、特許文献１，２）においては、このようなハードウェア的な構造に起因するスキャナＭＴＦのチャンネル間差についても、空間フィルタ処理の設定値を調整したり、空間周波数帯域の色バランスを補正するなどのソフトウェア的な処理により調整を行っていた。また、空間フィルタ処理の設定値の調整を行う場合、必要のない周波数領域における調整は、処理速度の低下を招き、効率が悪いという問題もあった。
【０００７】
本発明の課題は、容易かつ効率良くスキャナ部のＭＴＦの調整を行うことにより、高品質な画像を提供することができる画像形成装置及び画像形成方法を提供することである。
【０００８】
【課題を解決するための手段】
上記課題を解決するために、請求項１記載の発明は、
原稿画像をＣＣＤにより複数の色成分に分解して光電的に読み取り、前記複数の色成分毎の画像データを取得するスキャナ部と、前記取得された画像データに画像処理を施す画像処理部とを備えた画像形成装置であって、
前記画像データの複数の色成分毎にＭＴＦを調整するための調整モードを設定し、前記スキャナ部及び前記画像処理部のうち少なくとも一方を制御してＭＴＦを調整する制御部を備えることを特徴としている。
【０００９】
請求項２記載の発明は、請求項１記載の画像形成装置において、
前記制御部は、前記スキャナ部のＣＣＤを駆動制御して、ＣＣＤのピント調整を行うことにより、ＭＴＦを調整することを特徴としている。
【００１０】
請求項３記載の発明は、請求項１記載の画像形成装置において、
前記制御部は、前期画像処理部により行われる空間フィルタ処理に設定するフィルタ係数を変更することにより、ＭＴＦを調整することを特徴としている。
【００１１】
請求項４記載の発明は、請求項１から３のいずれか一項に記載の画像形成装置において、
前記制御部は、前記画像データに基づいて、画像周波数毎に各色成分のＭＴＦチャンネル間差の割合を算出し、画像周波数が１００〜２４０（ｐａｒｅｌｉｎｅ／ｉｎｃｈ）の範囲において、ＭＴＦチャンネル間差の割合が２０％以下となるようにＭＴＦを調整することを特徴としている。
【００１２】
請求項５記載の発明は、
原稿画像をＣＣＤにより複数の色成分に分解して光電的に読み取り、前記複数の色成分毎の画像データを取得するスキャナ部と、前記取得された画像データに画像処理を施す画像処理部とを備える画像形成装置における画像形成方法であって、
前記画像データの複数の色成分毎にＭＴＦを調整するための調整モードを設定し、前記スキャナ部及び前記画像処理部のうち少なくとも一方を制御してＭＴＦを調整することを特徴としている。
【００１３】
請求項６記載の発明は、請求項５記載の画像形成方法において、
前記スキャナ部のＣＣＤを駆動制御して、ＣＣＤのピント調整を行うことにより、ＭＴＦを調整することを特徴としている。
【００１４】
請求項７記載の発明は、請求項５記載の画像形成方法において、
前期画像処理部により行われる空間フィルタ処理に設定するフィルタ係数を変更することにより、ＭＴＦを調整することを特徴としている。
【００１５】
請求項８記載の発明は、請求項５から７のいずれか一項に記載の画像形成方法において、
前記画像データに基づいて、画像周波数毎に各色成分のＭＴＦチャンネル間差の割合を算出し、画像周波数が１００〜２４０（ｐａｒｅｌｉｎｅ／ｉｎｃｈ）の範囲において、ＭＴＦチャンネル間差の割合が２０％以下となるようにＭＴＦを調整することを特徴としている。
【００１６】
【発明の実施の形態】
以下、図１〜図１２を参照して本発明の実施の形態を詳細に説明する。ただし、発明の範囲は、図示例に限定されない。
図１は、本実施の形態における画像形成装置１の機能的構成を示すブロック図である。図１に示すように、画像形成装置１は、制御部１１、入力部１２、表示部１３、スキャナ部１４、画像処理部１５、プリンタ部１６、記憶部１７等から構成され、各部はバス１８により接続されている。
【００１７】
制御部１１は、ＣＰＵ（Ｃｅｎｔｒａｌ  Ｐｒｏｃｅｓｓｉｎｇ  Ｕｎｉｔ）等から構成され、記憶部１７に格納される画像形成プログラムに従って、スキャナ部１４、画像処理部１５、プリンタ部１６の動作を統括的に制御して画像形成を行う。具体的に、制御部１１は、記憶部１７からＭＴＦデータ算出処理プログラム、ＭＴＦ調整処理プログラムを読み出して、後述するＭＴＦデータ算出処理、ＭＴＦ調整処理を実行する。
【００１８】
入力部１２は、数字キー、各種機能キーや、表示部１３と一体型に構成されるタッチパネルなどを備えて構成され、操作されたキーに対応する操作信号、タッチパネル上に表示された操作画面での入力操作に応じた操作信号を制御部１１に出力する。
【００１９】
表示部１３は、ＬＣＤ（Ｌｉｑｕｉｄ  Ｃｒｙｓｔａｌ  Ｄｉｓｐｌａｙ）等から構成され、各種操作画面や制御部１１による処理結果等の各種表示情報を表示する。
【００２０】
スキャナ部１４は、図２に示すように、光源１４ａ、ミラー群１４ｂ、レンズ１４ｃ、ＣＣＤ（Ｃｈａｒｇｅ  Ｃｏｕｐｌｅｄ  Ｄｅｖｉｃｅ）１４ｄ等により構成されている。スキャナ部１４は、制御部１１の制御に応じて光源１４ａから原稿へ照明走査した光をミラー群１４ｂにより反射させ、反射光をレンズ１４ｃにより結像してＣＣＤ１４ｄにより光電変換して原稿画像を読み取り、読み取った画像データを画像処理部１５に出力する。
【００２１】
ここで、レンズ１４ｃを透過したＲＧＢの画像信号は、各色の波長の違いに起因する色収差が生じる。この色収差は、ＲＧＢのＭＴＦピークが完全に一致しない原因となる。そこで、ＣＣＤ１４ｄは、レンズに対して鉛直方向に稼動可能に構成され、制御部１１の制御に応じてレンズの色収差の誤差を補正するためピント調整を行う。通常、「±０」の位置は設計値であり、画像形成装置１の出荷時に設定されているピント調整の基準位置である。
【００２２】
図３を参照して、ピント調整とＲＧＢのＭＴＦの関係を説明する。図３に示すように、レンズからの離間距離に応じたＲＧＢのＭＴＦがそれぞれ示されており、ＭＴＦピークのバランスが平均化された位置が設計値「±０」として設定されている。ここでは、設計値「±０」を基準として、レンズに近づく方向を「＋方向」、レンズから離れる方向を「−方向」とする。従って、後述するＭＴＦ調整処理においては、制御部１１の制御に応じて、レンズ１４ｃを＋方向に移動させることにより、Ｒ，ＢのＭＴＦを上昇させ、レンズ１４ｃを−方向に移動させることにより、ＧのＭＴＦを上昇させ、ＲＧＢのＭＴＦの調整を行う。
【００２３】
また、スキャナ部１４は、ＭＴＦの調整のため、図４に示す測定用チャートの読み取りを行う。図４に示すように、スキャナ部１４は、４つの濃度パターン（０．５〜２．０）において、０．０４２〜０６７２（×ナイキスト周波数）の線密度の測定用チャートをスキャンして、画像データを読み込む。
【００２４】
図５は、スキャナ部１４により読み込まれた測定用チャートのスキャンデータの一部を示す図であり、本図は３ライン分のスキャンデータを示している。図５（ａ）は、各色（ＲＧＢ）毎のＭＴＦ差が少ないスキャナ部１４（以下、「ＯＫ機」と記す）によりスキャンされた結果を示すものであり、ＲＧＢの読み込み階調がほぼ揃ったデータとなっている。一方、図５（ｂ）は、各色（ＲＧＢ）毎のＭＴＦ差が大きいスキャナ部１４（以下、「ＮＧ機」と記す）によりスキャンされた結果を示すものであり、ＲＧＢの読み込み階調にはズレが生じている。
【００２５】
図６は、読み込まれた測定用チャートのスキャンデータをＦＦＴ（Ｆａｓｔ  Ｆｏｕｒｉｅｒ  Ｔｒａｎｓｆｏｒｍ）解析を行うことにより得られたＭＴＦのデータである。ここで、縦軸はレスポンス（ＭＴＦ）を示しており、横軸は画像周波数を示している。図６（ａ）は、図５（ａ）に示すＯＫ機のＭＴＦのデータであり、図６（ｂ）は、図５（ｂ）に示すＮＧ機のＭＴＦのデータである。
【００２６】
図６（ａ）に示すように、ＯＫ機のＭＴＦのデータは、ＲＧＢチャンネル間でレスポンスのズレは殆ど生じていないが、図６（ｂ）に示すように、ＮＧ機のＭＴＦのデータは、ＲＧＢチャンネル間においてズレが生じている。すなわち、ＮＧ機においては、特に１００〜２４０（ｐａｒｅｌｉｎｅ／ｉｎｃｈ）の範囲において、Ｒのレスポンス（ＭＴＦ）が大きく、Ｂのレスポンス（ＭＴＦ）が小さくなるズレが生じている。
【００２７】
図６は、ＯＫ機、ＮＧ機のＭＴＦのデータについて、画像周波数に対するＲＧＢチャンネル間のレスポンス比を示した表である。図６に示すように、ＯＫ機のＲＧＢチャンネル間のレスポンス比は、画像周波数０．４２３（×ナイキスト周波数）を除いて、２０％以下となっている。一方、ＮＧ機については、０．１６９〜０．３３９（×ナイキスト周波数）の範囲において、ＲＧＢチャンネル間のレスポンス比は、２０％を超える結果となっている。このように、ＲＧＢチャンネル間でレスポンス差が生じると、例えば、黒文字を黒細線や黒文字に色が付いたり、色細線や色文字に正しい色が再現できないという不具合が発生する。
【００２８】
図６を参照して、スキャナＭＴＦのデータのＲＧＢチャンネル間差と彩度の関係を説明する。図６は、入力輝度が７５付近におけるスキャナＭＴＦのＲＧＢチャンネル間差と、彩度との関係を示すグラフである。ここで、人間の視覚により概ね黒と認知できる彩度は、８．０以下である。つまり、図６に示すグラフからＲＧＢチャンネル間差のレスポンス比を２０％以下に抑えることにより、黒細線、黒文字を再現する上で不都合ない画質を得ることができる。
【００２９】
従って、後述するＭＴＦ調整処理においては、図７に示すように、画像周波数が０．１６９〜０．３３９（×ナイキスト周波数）の範囲、好ましくは画像周波数が１００〜２４０（ｐａｒｅｌｉｎｅ／ｉｎｃｈ）の範囲（図７斜線部）において、ＲＧＢチャンネル間のレスポンス比が２０％以下となるように、空間フィルタのフィルタ係数を選択させ、ＭＴＦの調整を行う。画像周波数が１００（ｐａｒｅｌｉｎｅ／ｉｎｃｈ）以下の周波数帯域では、殆どＲＧＢチャンネル間のレスポンス比は生じず、画像周波数が２４０（ｐａｒｅｌｉｎｅ／ｉｎｃｈ）以上の周波数帯帯域を有する画像データは殆ど入力されないため、１００〜２４０（ｐａｒｅｌｉｎｅ／ｉｎｃｈ）の範囲においてＭＴＦを調整することが好ましい形態となる。
【００３０】
画像処理部１５は、スキャナ部１４から読み取られた原稿画像の画像データ等に原稿画像に空間フィルタ処理、色変換処理、誤差拡散処理、シェーディング処理、画像圧縮処理等の各種画像処理を施す。
【００３１】
図９を参照して、画像処理部１５について詳細に説明する。図９は、画像処理部１５の構成を示すブロック図である。図９に示すようにスキャナ部１４から入力されたＲ（赤）、Ｇ（緑）、Ｂ（青）の３チャンネルの画像信号は、画像処理部１５の画像判別処理回路１５ａ、空間フィルタ回路１５ｂに供給される。
【００３２】
画像判別処理回路１５ａは、スキャナ部１４から入力されたＲＧＢの画像信号を用いて、読み取った画像が文字画像であるか否かの判別を行い、判別結果を画像判別信号として空間フィルタ回路１５ｂに出力する。この画像の判別では、例えば、画像の濃度エッジを検出すると共に、この検出された濃度エッジを利用して濃淡部分の区分けを行い、濃度の濃い領域あるいは濃度の薄い領域が文字の形状であるか否かを判別することで、文字画像であるか否かを判別できる。なお、画像は図形や写真等のイメージデータ、文字や記号等のテキストデータ等を含むものとする。
【００３３】
空間フィルタ回路１５ｂは、画像判別処理回路１５ａから入力される画像判別信号に基づいて、後述するＭＴＦ調整処理において、画像周波数毎に選択されたフィルタ係数を不揮発性メモリ１５ｈから取得し、対応する画像周波数に適したフィルタ係数を用いて画像データに空間フィルタ処理を行う。
【００３４】
色変換回路１５ｃでは、三次元ＬＵＴを予め設けており、ＲＧＢの画像信号に基づいて、３次元ＬＵＴを参照することにより、カラー画像再現のための色材となるＹ（イエロー）、Ｍ（マゼンタ）、Ｃ（シアン）、Ｋ（黒）の画像信号に変換し、ＹＭＣＫの画像信号を誤差拡散回路１５ｄに出力する。
【００３５】
誤差拡散回路１５ｄでは、ＹＭＣＫの画像信号に対して誤差拡散処理を行い、プリンタ部１７の性能に応じた階調数及び解像度の画像を出力するための画像信号を生成して、画像圧縮／メモリ保存／画像伸縮回路１５ｅに出力する。
【００３６】
画像圧縮／メモリ保存／画像伸縮回路１５ｅは、ＣＰＵ１５ｇの制御に応じて、誤差拡散回路４ｅから出力された画像信号を圧縮して不揮発性メモリ１５ｈに保存する。また、ＣＰＵ１５ｇの制御に応じて、不揮発性メモリ１５ｈから圧縮された画像を取得し、画像を伸長して、スクリーン処理回路１５ｆに出力する。
【００３７】
スクリーン処理回路１５ｆは、ＹＭＣＫの画像信号に、プリンタ部１６に応じたＣＭＹＫ毎のパルス幅変調等のスクリーン処理を施し、プリンタ部１６又は記憶部１７に出力する。
【００３８】
図１に戻り、プリンタ部１６は、連続紙又はカット紙が印刷用紙として装着された給紙部（図示せず）と排紙部（図示せず）を備え、制御部１１の制御に応じて合成された画像を、赤外レーザ光やＬＥＤ（Ｌｉｇｈｔ  Ｅｍｉｔｔｉｎｇ  Ｄｉｏｄｅ）による投射光を用いた電子写真方式によって、上記印刷用紙に転写して排紙出力する。
【００３９】
記憶部１７は、磁気的又は光学的記録媒体、若しくは半導体メモリから構成され、システムプログラムの他、ＭＴＦデータ算出処理プログラム、ＭＴＦ調整処理プログラム及び各種プログラムで処理されたデータ等を記憶する。また、記憶部１７は、スキャナ１４に読み取られ、画像処理部１５において画像処理を施された画像や、ＭＴＦデータ算出処理において算出された算出結果等を記憶する。
【００４０】
次に、本実施の形態の動作を説明する。
なお、動作説明の前提として、以下のフローチャートに記述されている各処理を実現するためのプログラムは、画像形成装置１の制御部１１が読み取り可能なプログラムコードの形態で記憶部１７に格納されており、制御部１１は、当該プログラムコードに従った動作を逐次実行する。
【００４１】
図３は、画像形成装置１の制御部１１により実行されるＭＴＦデータ算出処理を示すフローチャートである。図１０に示すように、制御部１１は、スキャナ１４を制御して、原稿ガラス上に載置されたＭＴＦ測定用チャートを読み取らせる（ステップＳ１；図４参照）。続いて、測定用チャートを読み取ったスキャンデータを取得し（ステップＳ２；図５参照）、スキャンデータのＦＦＴ解析を行う（ステップＳ３；図６参照）。
【００４２】
次いで、制御部１１は、ＦＦＴ解析結果から画像周波数に対するＲＧＢチャンネル間のレスポンス比を算出し（ステップＳ４；図７参照）、算出した結果を記憶部１７に記憶させ（ステップＳ５）、本ＭＴＦデータ算出処理を終了する。
【００４３】
次に、入力部１２を介して入力される指示に応じてＭＴＦの調整モードを設定し、ＭＴＦの調整を行うＭＴＦ調整処理について説明する。図１１は、画像形成装置１の制御部１１により実行されるＭＴＦ調整処理のフローチャートを示す図である。図１１に示すように、制御部１１は、入力部１２を介して、調整画面を表示させる指示が入力されたか否かを判別する（ステップＳ１１）。調整画面の表示指示が入力された場合（ステップＳ１１；ＹＥＳ）、制御部１１は、記憶部１７から画像周波数毎のＲＧＢチャンネルのレスポンス比を示す算出結果（例えば、図７参照）を取得して調整画面を生成し、表示部１３に調整画面を表示させる。
【００４４】
図１２は、ＭＴＦの調整画面の一例を示す図である。図１２に示すように、調整画面１３１は、画像周波数毎のＲＧＢチャンネルのレスポンス比の算出結果を表示する領域１３１ａ、チャンネル選択ボタン１３１ｂ、ピント調整ボタン１３１ｃ、フィルタ調整ボタン１３１ｄ、コピー画面ボタン１３１ｅ、テンキーボタン１３１ｆ、前画面ボタン１３１ｇが設けられている。
【００４５】
領域１３１ａには、画像周波数毎のＲＧＢチャンネルのレスポンス比の算出結果１００〜２４０（ｐａｒｅｌｉｎｅ／ｉｎｃｈ）の範囲におけるＲＧＢチャンネル間のレスポンス比が表示されている。また、結果の項目には、レスポンス比が２０％以下である場合、「ＯＫ」が表示され、レスポンス比が２０％以上である場合、すなわち、ＭＴＦの調整が必要である場合、「ＮＧ」が表示される。そして、チャンネルの項目には、結果が「ＮＧ」であった画像周波数について、例えば、「Ｒ＋」として調整指示が表示される。この場合、対応する画像周波数におけるレスポンス比を２０％以下にするためには、ＲＧＢのうち「Ｒ」のＭＴＦを「＋方向」に調整する必要があることを示している。
【００４６】
具体的には、ピント調整モードで調整を行う場合、図３に示すように、ピント調整を「＋方向」に駆動させることにより、ＲのＭＴＦを「＋方向」に調整することができる。また、フィルタ調整モードで調整を行う場合、Ｒのフィルタ係数を大きくすることにより空間フィルタの増幅強度を強めることができ、ＲのＭＴＦを「＋方向」に調整することができる。
【００４７】
チャンネル選択ボタン１３１ｂは、ＭＴＦの調整を行う色チャンネルを選択するボタンである。このチャンネル選択ボタン１３１ｂが押下されると、調整が行われる所望の色が選択され、各色におけるＭＴＦの調整を行える構成となっている。ピント調整ボタン１３１ｃは、スキャナ部１４のＣＣＤ１４ｄを駆動させることにより、ＭＴＦを調整する指示を入力するボタンである。このピント調整ボタン１３１ｃが押下されると、ピント調整モードが設定され、テンキー１３１ｆから入力される指示に応じて、制御部１１によりＣＣＤ１４ｄの駆動が制御され、レンズのピント調整が行われる。
【００４８】
フィルタ調整ボタン１３１ｅは、フィルタ係数を選択することにより、ＭＴＦを調整する指示を入力するボタンである。このフィルタ調整ボタン１３１ｅが押下されると、フィルタ調整モードが設定され、テンキー１３１ｆから入力される指示に応じて、制御部１１により最適なフィルタ係数が選択され、画像処理部１５の不揮発性メモリ１５ｈに画像周波数に応じたフィルタ係数が記憶される。
【００４９】
コピー画面１３１ｅは、調整された画質を確認するため、プリンタ部１６からプリントを出力させる指示を入力するボタンである。このコピー画面１３１ｅが押下されると、ＭＴＦの調整結果を確認するためのテスト画像がプリンタ部１６から出力される。また、コピー画面１３１ｅが押下されると、テスト画面が表示部１３に表示される構成であってもよい。テンキー１３１ｆは、数字ボタン、＋−ボタン、設定ボタン等から構成され、各ボタンに対応付けられた指示を制御部１１に出力する。前画面ボタン１３１ｇは、前画面に戻る指示を入力するボタンである。こ前画面ボタン１３１ｇが押下されると、制御部１１は、ＭＴＦ調整処理を終了して、前処理に移行する。
【００５０】
図１１に戻り、制御部１１は、入力部１２を介して、ＭＴＦの調整指示が入力されたか否かを判別し（ステップＳ１３）、ＭＴＦの調整指示が入力された場合（ステップＳ１３；ＹＥＳ）、入力された調整指示がフィルタ調整の指示であるかピント調整の指示であるかを判別する（ステップＳ１４）。
【００５１】
調整画面１３１において、フィルタ調整ボタン１３１ｅが押下された場合（ステップＳ１４；ＹＥＳ）、制御部１１は、フィルタ調整モードを設定して、入力部１２から入力される指示に応じて最適なフィルタ係数を選択する。また、選択されたフィルタ係数を画像周波数に対応付けて、画像処理部１５の不揮発性メモリ１５ｈに格納させる（ステップＳ１５）。
【００５２】
一方、調整画面１３１において、ピント調整ボタン１３１ｄが押下された場合（ステップＳ１４；ＮＯ）、制御部１１は、ピント調整モードを設定して、入力部１２から入力される指示に応じてスキャナ部１４のＣＣＤ１４ｄの駆動を制御し、レンズのピント調整を行う（ステップＳ１６）。
【００５３】
そして、制御部１１は、調整画面１３１において、調整を終了する指示が入力されたか否かを判別し（ステップＳ１７）、調整を終了する指示が入力された場合（ステップＳ１７；ＹＥＳ）、各調整モードを解除して、本ＭＴＦ調整処理を終了する。また、さらに調整を行う指示が入力された場合、制御部１１は、ステップＳ１３に移行して、上述した処理を繰り返して実行する。
【００５４】
以上のように、本実施の形態によれば、画像形成装置１は、スキャナ部１４に読み取らせた測定用チャートに基づいて、画像周波数毎のＲＧＢチャンネル間におけるレスポンス比を算出し、画像周波数の範囲が１００〜２４０（ｐａｒｅｌｉｎｅ／ｉｎｃｈ）において、ＲＧＢチャンネル間のＭＴＦのレスポンス比が２０％以上となる画像周波数のＭＴＦの調整を行わせる。また、ＭＴＦの調整は、ＣＣＤ１４ｄのピント調整によりＭＴＦを調整するピント調整モード、又は空間フィルタ処理におけるフィルタ係数を変更することによりＭＴＦを調整するフィルタ調整モードを設定し、入力部１２を介して入力される指示に応じて、ピント調整又はフィルタ係数を変更して、ＲＧＢのＭＴＦの調整を行う。
【００５５】
従って、スキャナ部１４のＭＴＦを好適に調整することができ、ＭＴＦ差に起因する各色成分における色バランスのずれを低下させ、黒細線や黒文字に色が付いてしまったり、色細線や色文字が正しい色で出力されない等の不具合を解消して、常に安定した品質の画像を提供することができる。
【００５６】
また、ＭＴＦの調整は、スキャナ部１４におけるＣＣＤのピントを調整するか、画像処理部１５における空間フィルタ処理のフィルタ係数を変更するかの何れか一方又は両方を行うことにより、調整することができる。このため、使用者の利用態様に応じた好適なＭＴＦの調整を行うことができ、高画質な画像を得ることができる。
【００５７】
さらに、ＭＴＦの調整を行う画像周波数の範囲を１００〜２４０（ｐａｒｅｌｉｎｅ／ｉｎｃｈ）とし、この範囲において、ＲＧＢ間チャンネル間差を２０％以下とする調整を行うため、必要のない周波数領域における調整を行うことなく、処理速度の向上させることができる。
【００５８】
なお、上述した本実施の形態における記述は、本発明に係る好適な画像形成装置の一例であり、これに限定されるものではない。例えば、画像形成装置１にＰＣを接続可能なインターフェースを備え、インターフェースを介して接続されたＰＣにスキャナ部１４から取得された画像データを出力し、ＰＣの制御部により、フィルタ係数の調整を行う構成であってもよい。この場合、画質の確認は、ＰＣのモニタ上で行う構成であればよい。
【００５９】
さらに、調整されたフィルタ係数を用いて、ＰＣ上で空間フィルタ処理等の各種画像処理を行い、画像処理を施した画像データを画像形成装置１に出力して、プリンタ部１６から出力させる構成であってもよい。その他、本実施の形態における画像形成装置１における各構成要素の細部構成及び細部動作に関しては、本発明の趣旨を逸脱することのない範囲で適宜変更可能であることはもちろんである。
【００６０】
【発明の効果】
請求項１又は５記載の発明によれば、スキャナ部又は画像処理部どちらか一方、又はその両方において、ＭＴＦを調整することにより、ＭＴＦ差に起因する各色成分における色バランスのずれを低下させ、高画質な画像を安定して提供することができる。
【００６１】
請求項２又は６記載の発明によれば、スキャナ部に設けられるＣＣＤのピント調整を行うことにより、スキャナ部のＭＴＦを調整することができる。これにより、スキャナ部に設けられるレンズの色収差によるＭＴＦ差を補正して、高画質な画像を提供することができる。
【００６２】
請求項３又は７記載の発明によれば、画像データの複数の色成分毎に空間フィルタ処理におけるフィルタ係数を変更することにより、スキャナ部のＭＴＦを調整することができるため、ＭＴＦ差に起因する各色成分における色バランスのずれを低下させ、高画質な画像を安定して提供することができる。
【００６３】
請求項４又は８記載の発明によれば、各色成分のＭＴＦチャンネル間差が最も生じやすい画像周波数の範囲において、好適にＭＴＦの調整を行うことができるため、必要のない周波数領域における調整を行うことなく、処理速度の向上させることができる。
【図面の簡単な説明】
【図１】本発明を適用した実施の形態における画像形成装置１の機能的構成を示すブロック図である。
【図２】図１に示すスキャナ部１４の細部構成を示す図である。
【図３】図２に示すにＣＣＤ１４ｄのピント調整とＭＴＦの関係を示すグラフである。
【図４】図１のスキャナ部１４により読み取られる測定用チャートの一例を示す図である。
【図５】図１に示すスキャナ部１４により読み取られたスキャンデータを示す図である。
【図６】図１に示すスキャナ部１４により読み取られたスキャンデータをＦＦＴ解析したデータである。
【図７】図１に示すスキャナ部１４に読み取られた画像周波数に対するＲＧＢチャンネル間のレスポンス比を示す図である。
【図８】彩度とＭＴＦのＲＧＢチャンネル間差との関係を示すグラフ図である。
【図９】図１に示す画像処理部１５の回路構成を示す図である。
【図１０】図１に示す制御部１１により実行されるＭＴＦデータ算出処理を示すフローチャートである。
【図１１】図１に示す制御部１１により実行されるＭＴＦ調整処理を示すフローチャートである。
【図１２】図１の表示部１３に表示される調整画面の一例を示す図である。
【符号の説明】
１    画像形成装置
１１    制御部
１２    入力部
１３    表示部
１４    スキャナ部
１４ａ    光源
１４ｂ    ミラー群
１４ｃ    レンズ
１４ｄ    ＣＣＤ
１５    画像処理部
１５ａ    画像判別処理回路
１５ｂ    空間フィルタ回路
１５ｃ    色変換回路
１５ｄ    誤差拡散回路
１５ｅ    画像圧縮／メモリ保存／画像伸長回路
１５ｆ    スクリーン処理回路
１５ｇ    ＣＰＵ
１５ｈ    不揮発性メモリ
１５ｉ    ＲＡＭ
１６    プリンタ部
１７    記憶部
１８    バス
【図１】
2005045433.tif 000003
【図２】
2005045433.tif 000004
【図３】
2005045433.tif 000005
【図４】
2005045433.tif 000006
【図５】
2005045433.tif 000007
【図６】
2005045433.tif 000008
【図７】
2005045433.tif 000009
【図８】
2005045433.tif 000010
【図９】
2005045433.tif 000011
【図１０】
2005045433.tif 000012
【図１１】
2005045433.tif 000013
【図１２】
2005045433.tif 000014